(57)【要約】【課題】視聴者は広告が放送されない有料番組を無料で視聴できる。【解決手段】メニュー表示手段２１は、放送局３からの放送を受信し広告専門番組と通常番組とのどちらかを選択させる。広告専門番組表示手段２３は、広告専門番組が選択されると広告専門番組を表示した後、広告視聴確認手段２４により広告が視聴されている時間を確認し、視聴が終了すれば広告を視聴した時間に応じてポイント蓄積手段２７のポイントを積算する。通常番組が選択されると、ポイント蓄積手段２７からポイントを読み出し、ポイントの値に相当する時間をタイマー２８に設定してタイマーを起動した後、通常番組を表示し、次にタイマーからのタイムアップの報告があるか視聴終了があると、通常番組が視聴された時間分のポイントをポイント蓄積手段２７から減算し、表示を終了する。【選択図】　　　図１
2004056535.tif 000002
【特許請求の範囲】
【請求項１】
有料テレビ放送の視聴方法において、広告専門の番組（以降、広告専門番組と称す）と前記番組の途中で広告が放送されない番組（以降、通常番組と称す）を放送する放送局からの放送を受信し、前記広告専門番組が視聴要求として選択されると、前記広告専門番組を表示した後、予め決められた方法により広告が視聴されている時間を確認し、視聴が終了すれば前記広告を視聴した時間に応じて予め用意されたポイント蓄積手段のポイントを積算し、前記表示を終了することを特徴とする有料テレビ放送の視聴方法。
【請求項２】
前記通常番組が視聴要求として選択されると、前記ポイント蓄積手段からポイントを読み出し、前記ポイントが残っている場合、前記ポイントの値に相当する時間を予め備えたタイマーに設定して前記タイマーを起動した後、通常番組を表示し、次に前記タイマーからのタイムアップの報告があるか前記タイムアップまでに視聴終了があると、前記通常番組が視聴された時間分の前記ポイントを前記ポイント蓄積手段から減算し、前記表示を終了することを特徴とする請求項１記載の有料テレビ放送の視聴方法。
【請求項３】
前記予め決められた方法とは、応答要求を前記広告専門番組に定期的に挿入することを特徴とする請求項１記載の有料テレビ放送の視聴方法。
【請求項４】
前記予め決められた方法とは、応答要求を前記広告専門番組にランダムに挿入することを特徴とする請求項１記載の有料テレビ放送の視聴方法。
【請求項５】
有料テレビ放送の視聴システムにおいて、広告専門の番組（以降、広告専門番組と称す）と前記番組の途中で広告が放送されない番組（以降、通常番組と称す）を放送する放送局と、前記放送局からの放送を受信し前記広告専門番組と前記通常番組とのどちらかを選択させるメニュー表示手段と、前記広告専門番組が視聴要求として選択されると前記広告専門番組を表示した後、予め具備した広告視聴確認手段により広告が視聴されている時間を確認し、視聴が終了すれば前記広告を視聴した時間に応じて予め用意されたポイント蓄積手段のポイントを積算し前記表示を終了する広告専門番組表示手段とを含んで構成されることを特徴とする有料テレビ放送の視聴システム。
【請求項６】
前記広告専門番組表示手段は、前記通常番組が視聴要求として選択されると、前記ポイント蓄積手段からポイントを読み出し、前記ポイントが残っている場合、前記ポイントの値に相当する時間を予め備えたタイマーに設定して前記タイマーを起動した後、通常番組を表示し、次に前記タイマーからのタイムアップの報告があるか前記タイムアップまでに視聴終了があると、前記通常番組が視聴された時間分の前記ポイントを前記ポイント蓄積手段から減算し前記表示を終了することを特徴とする請求項５記載の有料テレビ放送の視聴システム。
【請求項７】
前記広告視聴確認手段は、応答要求を前記広告専門番組に定期的に挿入することを特徴とする請求項５記載の有料テレビ放送の視聴システム。
【請求項８】
前記広告視聴確認手段は、応答要求を前記広告専門番組にランダムに挿入することを特徴とする請求項５記載の有料テレビ放送の視聴システム。
【発明の詳細な説明】
【０００１】
【発明の属する技術分野】
本発明は、番組の途中で広告が放送されない有料テレビ放送の視聴方法及び有料テレビ放送の視聴システムに関し、特にユーザが受信料を払う代わりに、広告専門の番組を視聴することで、広告なしの有料番組を無料で視聴可能とする有料テレビ放送の視聴方法及び有料テレビ放送の視聴システムに関する。
【０００２】
【従来の技術】
従来から、視聴者は、スポンサーが提供する広告やコマーシャル入りのテレビ、ラジオ番組等の番組をただで視聴している。これは、番組の中に強制的に広告を挿入することによって、スポンサーにとっては広告効果が期待でき、放映料を負担してもペイするからである。
【０００３】
一方、ＷＯＷＷＯＷなどのように、広告なしの番組を期待する視聴者のために、月単位あるいは番組単位で契約して、有料で視聴させる放送局が増えつつある。
【０００４】
さらに、特開平１１−１５５１３７公報に紹介されているように、有料チャネルの視聴開始時に、視聴者が広告を付加した映像と広告を付加しない映像のどちらかを選択できるようにし、視聴者が広告を付加した映像を選択した場合には、その番組映像に広告を付加して視聴させ、視聴終了後にサーバ側で、付加された広告量に応じて、視聴料を減額する方式が考案されている。
【０００５】
【発明が解決しようとする課題】
上述したスポンサー提供方式は、ただで番組を見れるものの、視聴者にとっては、コマーシャルによって番組が中断され、充分に番組を堪能できないと言う欠点があった。
【０００６】
また、上述のＷＯＷＷＯＷ方式は、逆に充分に番組を堪能できる変わりに、当然のことながら、あまり視聴しない月があっても、視聴料を毎月毎に支払わねばならないと言う問題があった。
【０００７】
さらに、上述の特開平１１−１５５１３７公報方式は、付加された広告量に応じて、視聴料が減額されるものの、付加される広告量は視聴者の意志に関わりなく決定されると言う欠点があった。
【０００８】
本発明の目的は、スポンサーのための広告専用の番組を視聴できる仕組みを提供し、この広告を見た場合のみ、ＷＯＷＷＯＷのような番組の途中で広告が放送されない番組を、ただで全部、あるいは広告を見た範囲に応じてそのチャネルの番組を無料で視聴できる仕組みを提供することにある。
【０００９】
【課題を解決するための手段】
本願の第１の発明は、有料テレビ放送の視聴方法において、広告専門の番組（以降、広告専門番組と称す）と前記番組の途中で広告が放送されない番組（以降、通常番組と称す）を放送する放送局からの放送を受信し、前記広告専門番組が視聴要求として選択されると、前記広告専門番組を表示した後、予め決められた方法により広告が視聴されている時間を確認し、視聴が終了すれば前記広告を視聴した時間に応じて予め用意されたポイント蓄積手段のポイントを積算し、前記表示を終了することを特徴とする。
【００１０】
本願の第２の発明は、第１の発明にて前記通常番組が視聴要求として選択されると、前記ポイント蓄積手段からポイントを読み出し、前記ポイントが残っている場合、前記ポイントの値に相当する時間を予め備えたタイマーに設定して前記タイマーを起動した後、通常番組を表示し、次に前記タイマーからのタイムアップの報告があるか前記タイムアップまでに視聴終了があると、前記通常番組が視聴された時間分の前記ポイントを前記ポイント蓄積手段から減算し、前記表示を終了することを特徴とする。
【００１１】
本願の第３の発明は、第１の発明の前記予め決められた方法とは、応答要求を前記広告専門番組に定期的に挿入することを特徴とする。
【００１２】
本願の第４の発明は、第１の発明の前記予め決められた方法とは、応答要求を前記広告専門番組にランダムに挿入することを特徴とする。
【００１３】
本願の第５の発明は、有料テレビ放送の視聴システムにおいて、広告専門の番組（以降、広告専門番組と称す）と前記番組の途中で広告が放送されない番組（以降、通常番組と称す）を放送する放送局と、前記放送局からの放送を受信し前記広告専門番組と前記通常番組とのどちらかを選択させるメニュー表示手段と、前記広告専門番組が視聴要求として選択されると前記広告専門番組を表示した後、予め具備した広告視聴確認手段により広告が視聴されている時間を確認し、視聴が終了すれば前記広告を視聴した時間に応じて予め用意されたポイント蓄積手段のポイントを積算し前記表示を終了する広告専門番組表示手段とを含んで構成されることを特徴とする。
【００１４】
本願の第６の発明は、第５の発明の前記広告専門番組表示手段は、前記通常番組が視聴要求として選択されると、前記ポイント蓄積手段からポイントを読み出し、前記ポイントが残っている場合、前記ポイントの値に相当する時間を予め備えたタイマーに設定して前記タイマーを起動した後、通常番組を表示し、次に前記タイマーからのタイムアップの報告があるか前記タイムアップまでに視聴終了があると、前記通常番組が視聴された時間分の前記ポイントを前記ポイント蓄積手段から減算し前記表示を終了することを特徴とする。
【００１５】
本願の第７の発明は、第５の発明の前記広告視聴確認手段は、応答要求を前記広告専門番組に定期的に挿入することを特徴とする。
【００１６】
本願の第８の発明は、第５の発明の前記広告視聴確認手段は、応答要求を前記広告専門番組にランダムに挿入することを特徴とする。
【００１７】
「作用」
本発明では、ユーザは受信料を払う代わりに、自分の好きな時に好きな時間だけ広告を視聴し、それにより溜まった無料受信度数のポイントを好きな時に使用することによりユーザの好きな時に有料番組を無料で視聴することを可能とする。
【００１８】
【発明の実施の形態】
次に、本発明の実施の形態について図面を参照して詳細に説明する。
【００１９】
図１は、本発明の一実施の形態を示すブロック図である。
【００２０】
図１を参照すると、本発明の実施の形態は、ユーザ１と、受信端末２側と、放送局３とから構成される。
【００２１】
受信端末２において、メニュー表示手段２１はユーザ１に通常番組か広告専門番組を選択させる機能を有し、通常番組表示手段２２はメニュー表示手段２１で通常番組が選択された場合に、ポイント蓄積手段２７からポイントを読み出し、ポイントが残っている場合はタイマー２８を起動しタイマーからのタイムアップの割り込みが起こるか、その途中で視聴が終了するまで通常番組を表示した後、通常番組が視聴された時間分のポイントをポイント減算手段２６によりポイント蓄積手段２７から減算する。また、広告専門番組表示手段２３は広告専門番組が選択された場合に、広告専門番組を表示した後、視聴が終わるまで広告視聴確認手段２４により広告が視聴されていることを確認し、広告の視聴の程度に応じてポイント積算手段２５によりポイント蓄積手段２７のポイントを積算する。広告視聴確認手段２４は広告が視聴者に視聴されていることを決められたアルゴリズム（後述）によって確認する。また、ポイント積算手段２５はポイント蓄積手段２７にポイントを加算し、ポイント減算手段２６はポイント蓄積手段２７からポイントを減算する。ポイント蓄積手段２７は広告専門番組が視聴された時間に応じて加算され、通常番組が視聴された時間に応じて減算されたポイントを蓄積する。タイマー２８は視聴者に通常番組を表示出来る時間を監視し、タイムアップ時に通常番組表示手段２２に通知する。
【００２２】
放送局３は通常の番組を送信する通常番組送信手段３１とスポンサー用の広告専用の番組を送信する広告専門番組送信手段３２から構成されている。
【００２３】
次に、本発明の動作について図２のフローチャートを用いて説明する。
【００２４】
本発明では、まずユーザが受信端末の電源を入れ起動すると（ステップＡ１）、メニュー表示手段２１によりメニューを表示する（ステップＡ２）。次に、メニューが選択され（ステップＡ３）、通常番組が選択された場合に、通常番組表示手段２２はポイント蓄積手段２７からポイントを読み出し、ポイントが残っているかどうかを確認する（ステップＡ８）。ステップＡ８において、ポイントが残っている場合、ポイントの値に相当する時間をタイマーに設定して、タイマー２８を起動し（ステップＡ９）た後、通常番組を表示し（ステップＡ１０）、次にタイマーからのタイムアップの割り込みを監視し（ステップＡ１１）、タイムアップが起こるか、その途中で視聴終了が起こると（ステップＡ１２）、通常番組が視聴された時間分のポイントをポイント減算手段２６によりポイント蓄積手段２７から減算し（ステップＡ１３）、放映を終了する（ステップＡ１４）。尚、タイムアップ時は、ポイント蓄積手段２７のポイントの値は０となる。
【００２５】
ステップＡ３で、広告専門番組が選択された場合に、広告専門番組表示手段２３は、広告専門番組を表示した後（ステップＡ４）、広告視聴確認手段２４により広告が視聴されていることを確認し（ステップＡ５）、視聴が終了すれば（ステップＡ６）、広告の視聴の程度に応じてポイント積算手段２５によりポイント蓄積手段２７のポイントを積算し（ステップＡ７）、終了する（ステップＡ１４）。
【００２６】
次に、上述した広告視聴確認手段２４が広告が視聴者に視聴されていることを確認する手法について、その実施例を述べる。
【００２７】
スポンサーは、広告をまとめて、視聴者に見てもらうことと引き替えに、本来有料で視聴させる広告なしの番組を無料、あるいは割り引きで視聴させるのであるから、視聴者が広告を見たという保証を担保する必要がある。そのための手法としては、例えば、視聴者が見ていさえすれば必ず答えられるようなクイズや質問を、図３に示すようにランダムにあるいは定期的に挿入するか、あるいは、指定されたボタンの押下要求をランダムにあるいは定期的に挿入する方法が考えられる。
【００２８】
広告専門番組表示手段２３は、クイズや質問に対する回答の正解が、何番目までとあっているかにより、時間軸上でどの辺まで広告を見たかを判断し、１００パーセントと判断すれば、広告なしの通常番組を予め決められた期間（例えば２４時間）無料で視聴できるだけのポイントをポイント蓄積手段２７に蓄積し、５０パーセントと判断すれば、広告なしの通常番組をそれに相当する期間（例えば１２時間）無料で視聴できるだけのポイントをポイント蓄積手段２７に蓄積する。
【００２９】
【発明の効果】
以上説明したように、本発明は、スポンサーのための広告専用の番組を視聴できる仕組みを提供し、この広告を見た場合のみ、ＷＯＷＷＯＷのような番組の途中で広告が放送されない番組を、全部、あるいは広告を見た範囲に応じてそのチャネルの番組を無料で視聴できる仕組みを提供することことにより、視聴者は広告が放送されない有料番組を無料で視聴できる時間を任意に担保出来る効果がある。
【図面の簡単な説明】
【図１】本発明の一実施の形態を示すブロック図である。
【図２】本発明の動作を説明するフローチャートである。
【図３】本発明の広告視聴確認手段２４の動作説明図である。
【符号の説明】
１　　ユーザ
２　　受信端末
３　　放送局
２１　　メニュー表示手段
２２　　通常番組表示手段
２３　　広告専門番組表示手段
２４　　広告視聴確認手段
２５　　ポイント積算手段
２６　　ポイント減算手段
２７　　ポイント蓄積手段
２８　　タイマー
３１　　通常番組送信手段
３２　　広告専門番組送信手段
【図１】
2004056535.tif 000003
【図２】
2004056535.tif 000004
【図３】
2004056535.tif 000005